(57)【要約】【課題】クリーニングすることが容易であるキーボードを提供すること。【解決手段】本発明に係るキーボードは、静電容量式タッチパネルが設けられている支持ベース部と、キーシートと、前記支持ベース部の一端に固定されるスリーブと、前記スリーブ内に収納される巻き手段と、前記スリーブの一端に装着され且つ前記巻き手段を当止する止め手段と、前記スリーブの両端に着脱可能に係合し且つ前記支持ベース部に沿ってスライドできる位置決め部材と、を備える。前記キーシートの一端は、前記巻き手段に固定され、前記キーシートの他端は、前記位置決め部材に固定される。前記キーシートが前記スリーブから引き出された時に、前記巻き手段は、弾性力を蓄積し、前記止め手段は前記巻き手段の回転を阻止する。前記止め手段を前記巻き手段から離脱させると、前記巻き手段は弾性復帰して回転しながら、前記キーシートを前記スリーブ内に巻き取るように収納する。【選択図】図８
2012027915.tif 000002
【特許請求の範囲】
【請求項１】
静電容量式タッチパネルが設けられている支持ベース部と、柔軟な透明材料からなるキーシートと、前記支持ベース部の一端に固定されるスリーブと、前記スリーブ内に収納される巻き手段と、前記スリーブの一端に装着され且つ前記巻き手段を当止する止め手段と、前記スリーブの両端に着脱可能に係合し且つ前記支持ベース部に沿ってスライドできる位置決め部材と、を備えてなるキーボードにおいて、
前記キーシートの一端は、前記巻き手段に固定され、前記キーシートの他端は、前記位置決め部材に固定され、
前記キーシートが前記スリーブから引き出された時に、前記巻き手段は、弾性力を蓄積し、前記止め手段は、前記巻き手段の回転を阻止し、
前記止め手段を前記巻き手段から離脱させると、前記巻き手段は、弾性復帰力によって回転しながら、前記キーシートを前記スリーブ内に巻き取るように収納することを特徴とするキーボード。
【請求項２】
前記支持ベース部の長手方向に沿う両側には、それぞれ１つのガイドレールが設けられ、前記支持ベース部の前記スリーブの反対側の一端には、止め板が突設されており、
前記位置決め部材は、前記ガイドレールに沿ってスライドし、且つ前記止め板に磁気吸着されることを特徴とする請求項１に記載のキーボード。
【請求項３】
前記巻き手段は、軸方向に沿ってスリットが設けられた巻き軸と、前記巻き手段に前記キーシートを巻き取るための弾性力をもたらすコイルスプリングと、を備え、前記キーシートの一端が前記スリットにより固定されることを特徴とする請求項１または２に記載のキーボード。
【請求項４】
前記キーボードは、前記スリーブの両端にそれぞれ装着される第一端部キャップ及び第二端部キャップをさらに備えることを特徴とする請求項１〜３のいずれか１項に記載のキーボード。
【請求項５】
前記第二端部キャップの底壁には、前記第二端部キャップを貫通する開口が設けられ、前記止め手段は、操作部材、ヒンジ部材、歯車及び弾性部材を含み、
前記操作部材の一端が前記ヒンジ部材を介して前記第二端部キャップの外壁に回動可能に装着され、前記操作部材の他端の内面には止めピンが突設されており、前記止めピンは、前記開口を貫通して前記歯車に挟持されて前記巻き手段の回動を阻止し、
前記弾性部材の一端が前記操作部材に嵌合され、前記弾性部材の他端が前記第二端部キャップの底壁に収納され、
前記操作部材を前記第二端部キャップから離れるように回動すると、前記弾性部材が押圧されて弾性力を蓄積し、前記操作部材はこの弾性力により元の位置に復帰することを特徴とする請求項４に記載のキーボード。
【発明の詳細な説明】
【技術分野】
【０００１】
本発明は、キーボードに関し、特にクリーニングが容易なキーボードに関するものである。
【背景技術】
【０００２】
現在、コンピューターなどの電子装置は、人々の日常生活に広く使用されている。これらの電子装置は、一般的にキーボードを介して情報を入力する。
【０００３】
従来のキーボードは、ケース体及びケース体の上面に固定されている複数の押しボタンを備える。前記ケース体及び前記押しボタンは、すべて硬質材料からなっている。しかし、これらのキーボードにおいて、長時間の使用によって、押しボタン同士の間に塵等が積もり易い。さらに、前記押しボタンと前記ケース体とが一体に結合されているため、両者の間の塵等のクリーニングが難しくなる。
【発明の概要】
【発明が解決しようとする課題】
【０００４】
本発明は上記の問題点を考慮してなされたものであり、クリーニングが容易であるキーボードを提供することを目的とする。
【課題を解決するための手段】
【０００５】
上記の目的を達成するために、本発明に係るキーボードは、静電容量式タッチパネルが設けられている支持ベース部と、柔軟な透明材料からなるキーシートと、前記支持ベース部の一端に固定されるスリーブと、前記スリーブ内に収納される巻き手段と、前記スリーブの一端に装着され且つ前記巻き手段を当止する止め手段と、前記スリーブの両端に着脱可能に係合し且つ前記支持ベース部に沿ってスライドできる位置決め部材と、を備える。前記キーシートの一端は、前記巻き手段に固定され、前記キーシートの他端は、前記位置決め部材に固定される。前記キーシートが前記スリーブから引き出された時に、前記巻き手段は、弾性力を蓄積し、前記止め手段は、前記巻き手段の回転を阻止する。前記止め手段を前記巻き手段から離脱させると、前記巻き手段は、弾性復帰して回転しながら、前記キーシートを前記スリーブ内に巻き取るように収納する。
【発明の効果】
【０００６】
従来の技術と比較して、本発明のタッチキーボードのキーシートは、巻き手段によってスリーブ内に収納されるので、塵等からの汚れを防止できる。さらに、前記キーシートとキーボードの支持ベース部とは、分離して設置されるため、両者をクリーニングすることが容易である。
【図面の簡単な説明】
【０００７】
【図１】本発明に係るキーボードの斜視図である。
【図２】図１に示したキーボードの支持ベース部を取り除いた部分の分解図である。
【図３】図２に示した止め手段及び第二端部キャップの拡大図である。
【図４】図２に示したキーボードの別の視点からの分解図である。
【図５】図３に示した止め手段及び第二端部キャップの別の視点からの拡大図である。
【図６】図１に示したキーボードのＶＩ−ＶＩ線に沿う断面図である。
【図７】図６に示したキーボードの止め手段が巻き手段から離脱された状態を示す図である。
【図８】本発明に係るキーボードのキーシートが展開された状態での斜視図である。
【発明を実施するための形態】
【０００８】
図１及び図２に示したように、本発明の実施形態に係るキーボード１００は、キーシート１０と、スリーブ３１と、位置決め部材３３と、巻き手段４０と、止め手段５０と、支持ベース部７０と、を備える。前記スリーブ３１は、前記支持ベース部７０の短軸辺に固定される。前記キーシート１０は、フレキシブル材料からなり、前記巻き手段４０によって巻き取られて前記スリーブ３１内に収納される。前記キーシート１０の一端は、前記位置決め部材３３に固定されて、前記位置決め部材３３を介して前記スリーブ３１内から引き出される。前記止め手段５０は、前記巻き手段４０の回転を阻止して、前記キーシート１０の前記支持ベース部７０に対する展開状態を保持する。
【０００９】
前記支持ベース部７０は、静電容量式タッチパネルが設けられている基体７１を備える。前記基体７１の長手方向に沿う両側には、それぞれ１つのガイドレール７３が設けられている。前記位置決め部材３３の両端は、２つの前記ガイドレール７３に沿ってスライドする。前記基体７１の前記スリーブ３１の反対側には、前記位置決め部材３３を磁気吸着する止め板７５が設置されている。
【００１０】
本実施形態において、前記キーシート１０は、透明樹脂からなり、その上面には複数のキーアイコン（図示せず）が設けられている。ユーザーが接触部材（指又は他の部材）で前記キーシート１０に接触すると、前記支持ベース部７０の上面の静電容量式タッチパネルと前記接触部材との間に静電容量が発生して、これに対応する指令情報はコンピューターなどの端末設備に伝送される。
【００１１】
前記スリーブ３１は、中空の円筒体であり、且つ周壁に前記スリーブ３１の両端を貫通するスロット３１１が長軸方向に沿って設けられている。前記スロット３１１は、前記キーシート１０を前記スリーブ３１の内部に収納するための収納口として機能する。
【００１２】
前記キーボード１００は、前記スリーブ３１の両端にそれぞれ装着される第一端部キャップ３５及び第二端部キャップ３７をさらに備える。前記止め手段５０は、前記第二端部キャップ３７に装着される。
【００１３】
前記第一端部キャップ３５は、周壁３５１と、底壁３５３と、この周壁３５１及び底壁３５３により取り囲んで形成される収容空間３５５と、を備える。前記周壁３５１には、前記位置決め部材３３の一端部を係合するための係止用凹溝３５１１が設けられている。前記周壁３５１の内面には、前記第一端部キャップ３５の端縁から突出する複数の固定柱３５１３が設けられている。複数の前記固定柱３５１３を前記スリーブ３１の端部に溶接することにより、前記第一端部キャップ３５は、前記スリーブ３１の一端に装着される。前記底壁３５３の内面の中央部には、前記周壁３５１の延在方向と一致する中空の回転許容部３５７が設けられている。前記底壁３５３の内面における前記回転許容部３５７の外側には、挟持用スリット３５９１が形成されている挟持用塊３５９が設けられている。
【００１４】
図３乃至図５に示したように、前記第二端部キャップ３７は、周壁３７１と、底壁３７２と、前記周壁３７１及び前記底壁３７２により取り囲んで形成される収容空間３７３と、を備える。前記周壁３７１には、前記位置決め部材３３の他端部が係合するための係止用凹溝３７１１が設けられている。前記周壁３７１の内面には、前記第二端部キャップ３７の端縁から突出する複数の固定柱３７１３が設けられている。複数の前記固定柱３７１３を前記スリーブ３１の端部に溶接することにより、前記第二端部キャップ３７は、前記スリーブ３１の他端に装着される。前記底壁３７２の外面には、収容凹所３７４が設けられている。前記収容凹所３７４の一端には、位置決め凹所３７５が形成され、前記収容凹所３７４の他端の中央部には、開口３７６が形成されている。前記位置決め凹所３７５の一方の側壁には、位置決め柱３７５１が突設され、前記位置決め凹所３７５の他方の側壁には、収容孔３７５３が設けられている。前記位置決め柱３７５１の中心軸と前記収容孔３７５３の中心軸とは、同一直線上に位置する。前記底壁３７２の内面において、中央部には嵌合用柱体３７７が設けられ、前記嵌合用柱体３７７の近傍には挟持用塊３７８が設けられている。前記挟持用塊３７８は、挟持用スリット３７８１を有する。
【００１５】
図２及び図４に示したように、前記巻き手段４０は、巻き軸４１と、２つのコイルスプリング４３と、前記巻き軸４１の一端を囲むように設けられる套管４５と、を備える。前記巻き軸４１には、その軸方向に沿って中空部４１１が設けられる。前記第二端部キャップ３７の嵌合用柱体３７７は、前記巻き軸４１の中空部４１１の一端に回動可能に装着される。前記巻き軸４１の周壁には、前記キーシート１０の他端（段落［０００８］の「前記キーシート１０の一端は」の記載に対して）を挟持するためのスリット４１３が設けられている。前記巻き軸４１の中空部４１１の他端の開口端には、ノッチ４１５が設けられている。各コイルスプリング４３は、第一係止片４３１及び第二係止片４３３を備える。２つの前記コイルスプリング４３の第一係止片４３１は、前記第一端部キャップ３５の挟持用スリット３５９１及び前記第二端部キャップ３７の挟持用スリット３７８１にそれぞれ挟持され、２つの前記コイルスプリング４３の第二係止片４３３は、前記スリット４１３に嵌入される。前記套管４５は、一端が開口した円筒体であり、その内周面には突起４５１が設けられている。前記巻き軸４１の他端が前記套管４５内に収納されると、前記突起４５１は、前記巻き軸４１のスリット４１３内に嵌合される。さらに、前記套管４５全体が前記第一端部キャップ３５の回転許容部３５７内に収納されるので、前記巻き軸４１の他端は、前記套管４５を介して前記回転許容部３５７に回動可能に装着される。
【００１６】
図４及び図５に示したように、前記止め手段５０は、操作部材５１、ヒンジ部材５３、弾性部材５５及び歯車５９を備える。前記操作部材５１の一端には、止めピン５１１が設けられ、前記操作部材５１の他端には柱状係合部５１３が設けられている。前記止めピン５１１は、前記第二端部キャップ３７の開口３７６を貫通して前記歯車５９に当止されて、前記巻き軸４１の回動を阻止する。前記柱状係合部５１３の両端には、取付孔５１７がそれぞれ設けられ、前記柱状係合部５１３の外周面には収容凹溝５１５が設けられる。前記ヒンジ部材５３は、前記操作部材５１の回転角度を制限するために用いられ、且つ回転許容部５３１及びこの回転許容部５３１に対して回動可能なシャフト５３３を含む。前記弾性部材５５は、前記第二端部キャップ３７の位置決め凹所３７５に収納される固定部５５１と、前記操作部材５１の収容凹溝５１５内に嵌合される当止部５５３と、を備える。
【００１７】
前記歯車５９の片面には、前記巻き軸４１のノッチ４１５（図２を参照）に係合する係止用塊５９１が設けられている。前記歯車５９の周壁には、複数の歯状物５９３が間隔を空けて設けられている。各歯状物５９３は、径方向に沿って延在する当止面５９３１及び前記当止面５９３１に対して傾斜して延在するガイド面５９３３を有する。前記操作部材５１の止めピン５１１を隣り合う２つの歯状物５９３の間に設置すると、前記止めピン５１１が前記当止面５９３１に当止されることによって、前記歯車５９は回転できなくなる。前記ガイド面５９３３は、前記歯車５９の反対方向への回転をガイドする。前記当止面５９３１及び前記ガイド面５９３３の結合によって、前記歯車４９は前記操作部材５１の止めピン５１１に対して一方向だけに向かって回転する。
【００１８】
以下、図１乃至図５を参照しながら、本発明のキーボード１００の組立ステップについて詳細に説明する。
【００１９】
前記キーボード１００を組み立てる場合、まず、前記キーシート１０の一端を前記スリット４１３内に挿入して前記巻き軸４１に固定してから、前記第二係止片４３３が前記スリット４１３内に係止されるように、２つの前記コイルスプリング４３をそれぞれ前記巻き軸４１の両端にその周面を取り囲むように設置する。これにより、前記キーシート１０の一端は、前記スリット４１３内で緊密に挟持される。続いて、前記係止用塊５９１を前記スリット４１３の一端の近傍に設けられた前記ノッチ４１５内に嵌合させて前記歯車５９を前記巻き軸４１の一端に固定し、且つ前記套管４５の突起４５１を前記巻き軸４１の他端のスリット４１３に嵌合させる。続いて、前記キーシート１０を前記巻き軸４１の周りに巻いて前記巻き軸４１を前記スリーブ３１内に収納し、前記キーシート１０の他端を前記スリーブ３１のスロット３１１から引き出して、熱溶着或いは接着によりそれを前記位置決め部材３３に固定する。
【００２０】
次に、前記巻き軸４１の端部に固定された前記套管４５が前記回転許容部３５７に回動可能に収納され、且つ１つの前記コイルスプリング４３の第一係止片４３１が前記第一端部キャップ３５の挟持用スリット３５９１内に係止されるように、前記第一端部キャップ３５を前記スリーブ３１の一端に係合させる。続いて、前記底壁３７２の内面の嵌合用柱体３７７が前記歯車５９の中心孔を貫通して前記巻き軸４１の中空部４１１内に回転可能に嵌入され、もう１つのコイルスプリング４３の第一係止片４３１が前記第二端部キャップ３７の挟持用スリット３７８１内に係止されるように、前記第二端部キャップ３７を前記スリーブ３１の他端に係合させる。以上により、前記巻き軸４１の両端は、それぞれ前記第一端部キャップ３５及び前記第二端部キャップ３７に回動可能に装着される。その後、超音波溶接の方法で、前記第一端部キャップ３５の複数の固定柱３５１３及び前記第二端部キャップ３７の複数の固定柱３７１３をそれぞれ前記スリーブ３１の両端に固定する。
【００２１】
次に、前記操作部材５１及び前記弾性部材５５をそれぞれ前記第二端部キャップ３７の外壁に固定する。詳しく説明すると、前記弾性部材５５の固定部５５１を前記位置決め凹所３７５内に収納し、前記ヒンジ部材５３の回転許容部５３１を前記取付孔５１７内に挿入してから、前記弾性部材５５の当止部５５３が前記収容凹溝５１５に嵌合されるように、前記操作部材５１の柱状係合部５１３を前記位置決め凹所３７５内に押し込むと共に、前記柱状係合部５１３の端面から突出した前記シャフト５３３の端部を前記位置決め凹所３７５の収容孔３７５３に回動不能に嵌入し、且つ前記位置決め柱３７５１を前記取付孔５１７内に回動可能に嵌入する。その後、前記操作部材５１の平板状部を前記収容凹所３７４内に係合させると共に、その内面の止めピン５１１を前記開口３７６に貫通させて隣り合う２つの歯状物５９３の間に設置する。
【００２２】
最後に、前記位置決め部材３３の両端をそれぞれ前記第一端部キャップ３５の外面の係止用凹溝３５１１及び前記第二端部キャップ３７の外面の係止用凹溝３７１１内に係合させて、前記位置決め部材３３を前記スリーブ３１の側面に固定する。続いて、前記位置決め部材３３の両端が前記ガイドレール７３に収納されるように、前記第一端部キャップ３５及び前記第二端部キャップ３７を、前記支持ベース部７０の前記止め板７５の反対側の一端に溶接して固定する。これで、前記キーボードの組み立てが完成する（図１を参照）。
【００２３】
図６に示したように、前記キーボード１００が一体に組み立てられた後、前記操作部材５１は、前記ヒンジ部材５３及び前記位置決め柱３７５１を回転軸として前記第二端部キャップ３７の外側に回動可能に装着され、前記操作部材５１の止めピン５１１は、前記歯車５９の１つの当止面５９３１に当止され、２つの前記コイルスプリング４３は、自由状態になっている。
【００２４】
図７及び図８に示したように、前記キーボード１００を使用するために展開する場合、まず前記位置決め部材３３を前記スリーブ３１から取り外して、前記位置決め部材３３を前記ガイドレール７３に沿ってスライドさせると、前記キーシート１０の一端が前記位置決め部材３３に誘導されることによって、前記キーシート１０は、前記スリーブ３１の内部から引き出される。前記位置決め部材３３が前記止め板７５までスライドして磁力によりそれに吸着されると、前記キーシート１０は、完全に展開される。この過程において、前記巻き軸４１は、前記キーシート１０に誘導されて回動しながら、２つの前記コイルスプリング４３を張切って弾性的に収縮させる。前記歯車５９の係止用塊５９１が前記巻き軸４１のノッチ４１５に係合されているので、前記歯車５９も連動して回動する。前記キーシート１０が所定の長さに引き出された後、外力を除去すると、前記止めピン５１１が前記歯車５９の１つの当止面５９３１に当止され、前記巻き軸４１は、前記スリーブ３１に対して固定される。
【００２５】
前記キーボード１００を巻き取る場合、前記操作部材５１を前記第二端部キャップ３７の外側に回動させて、その内面の止めピン５１１を前記歯車５９の隣り合う２つの歯状物５９３の間から離脱させると、前記巻き軸４１は、前記コイルスプリング４３の弾性復帰力により回動しながら、前記キーシート１０を前記スリーブ３１内に収納する。前記弾性復帰力は、前記位置決め部材３３と前記止め板７５との磁気吸着力より大きい。前記操作部材５１を前記第二端部キャップ３７の外側に回転させる過程で、前記弾性部材５５の当止部５５３は、前記位置決め凹所３７５の底壁と前記柱状係合部５１３とにより押圧されて弾性変形する。前記キーシート１０が前記スリーブ３１内に完全に収納された後、前記位置決め部材３３の両端は再び前記第一端部キャップ３５及び前記第二端部キャップ３７に位置する。その後、前記操作部材５１を放すと、前記操作部材５１の平板状部は、前記弾性部材５５の弾性力によって前記ヒンジ部材５３を中心として回動しながら、前記底壁３７２の収容凹所３７４に収納される。従って、前記操作部材５１の内面の止めピン５１１は、再び前記収容凹所３７４の開口３７６を貫通して前記歯車５９の当止面５９３１に当止されて、前記キーシート１０を前記スリーブ３１内に安定して収納する。
【００２６】
また、前記位置決め部材３３は、上述の実施形態に記載した構造に限定されるものではなく、前記スリーブ３１に着脱可能に装着されるほかの部材であってもよい。
【００２７】
本発明によれば、前記キーボード１００の巻き軸４１は、前記コイルスプリング４３の弾性復帰力によって回動しながら前記キーシート１０を前記スリーブ３１内に巻き取って収納する。従って、前記キーボード１００が使用されない時に、そのキーシート１０は、前記スリーブ３１内に収納されて、塵、水等により汚されることがなく、効果的に保護される。また、本発明のキーボード１００のキーシート１０と支持ベース部７０とは、互いに分離できるように設置されるので、クリーニングするときに便利である。
【００２８】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは言うまでもない。
【符号の説明】
【００２９】
１０            キーシート
３１            スリーブ
３３            位置決め部材
３５            第一端部キャップ
３７            第二端部キャップ
４０            巻き手段
４１            巻き軸
４３            コイルスプリング
４５            套管
５０            止め手段
５１            操作部材
５３            ヒンジ部材
５５            弾性部材
５９            歯車
７０            支持ベース部
７１            基体
７３            ガイドレール
７５            止め板
１００          キーボード
３１１          スロット
３５１          周壁
３５３          底壁
３５５          収容空間
３５７          回転許容部
３５９          挟持用塊
３７１          周壁
３７２          底壁
３７４          収容凹所
３７５          位置決め凹所
３７６          開口
３７７          嵌合用柱体
３７８          挟持用塊
４１１          中空部
４１３          スリット
４１５          ノッチ
４３１          第一係止片
４３３          第二係止片
４５１          突起
５１１          止めピン
５１３          柱状係合部
５１５          収容凹溝
５１７          取付孔
５３１          回転許容部
５３３          シャフト
５５１          固定部
５５３          当止部
５９１          係止用塊
５９３          歯状物
３５１１        係止用凹溝
３５１３        固定柱
３５９１        挟持用スリット
３７１１        係止用凹溝
３７１３        固定柱
３７５１        位置決め柱
３７５３        収容孔
３７８１        挟持用スリット
５９３１        当止面
５９３３        ガイド面
【図１】
2012027915.tif 000003
【図２】
2012027915.tif 000004
【図３】
2012027915.tif 000005
【図４】
2012027915.tif 000006
【図５】
2012027915.tif 000007
【図６】
2012027915.tif 000008
【図７】
2012027915.tif 000009
【図８】
2012027915.tif 000010